(57)【要約】【課題】  表示体への焼き付きを防止する。【解決手段】  被写体を撮像するカメラ本体１１に設けられるビューファインダ１２に対して、着脱可能なルーペ６５であって、ビューファインダ１２に設けられ、撮像された被写体を表示する表示体４２に表示された映像を拡大する拡大レンズ６７と、光路上に設けられた偏光フィルタ６６とを有する。【選択図】図１４
2004163905.tif 000002
【特許請求の範囲】
【請求項１】
ビューファインダに設けられ、映像を表示する表示体に表示された映像を拡大する拡大レンズと、
光路上に設けられた偏光フィルタとを有し、
上記ビューファインダに対して、着脱可能であるルーペ。
【請求項２】
映像を表示する表示体を有する表示ユニットと、
上記表示体に表示された映像を拡大する拡大レンズを有するルーペ部とを備え、
上記ルーペ部には、光路上に偏光フィルタが設けられているビューファインダ。
【請求項３】
被写体を撮像するカメラ本体と、
ビューファインダとを備え、
上記ビューファインダは、映像を表示する表示体を有する表示ユニットと、上記表示体に表示された映像を拡大する拡大レンズを有するルーペ部とを有し、
上記ルーペ部には、光路上に偏光フィルタが設けられているビデオカメラ。
【発明の詳細な説明】
【技術分野】
【０００１】
本発明は、撮像した映像を拡大するルーペ、このルーペを備えたビューファインダ及びこのビューファインダを備えたビデオカメラに関する。
【背景技術】
【０００２】
放送局等で使用される業務用のＥＮＧ（Electrical News Gathering）用等のビデオカメラは、カメラ本体に、カメラ本体で撮影する被写体を見ることができるようにするビューファインダが設けられている。また、このビューファインダには、画像表示体として液晶表示パネルが内蔵されているものがあるが、さらに、このビデオカメラのビューファインダには、撮像している映像を視野内全てで映像を見ることができるようにするため、鏡筒内に拡大レンズを設けたファインダが取り付けられることがある。なお、画像表示体として液晶表示パネルを用いたビデオカメラが、例えば特開平１０−１２６６５６号公報に開示されている。
【０００３】
ところで、ファインダに内蔵される拡大レンズは、使用者に対して表示体である液晶表示パネルに表示された映像を拡大する機能を有するものであるが、液晶表示パネルからみると、外光を集光する集光レンズとして機能する。
【０００４】
液晶表示パネルは、液晶を合成樹脂シートで挟んで構成されるものであるから、集光レンズによって表面に外光が集光されると、集光された位置に焼き付けが発生してしまうおそれがある。また、ファインダを表示ユニットから取り外して放置したときには、ファインダの下側にあるものを焼き付けてしまう。
【０００５】
【特許文献１】特開平１０−１２６６５６号公報
【発明の開示】
【発明が解決しようとする課題】
【０００６】
本発明は、以上のような課題に鑑みてなされたものであり、その目的は、ファインダに内蔵された拡大レンズによって液晶表示パネルが焼き付くことを防止することができるルーペ、このルーペを備えたビューファインダ及びこのビューファインダを備えたビデオカメラを提供することにある。
【課題を解決するための手段】
【０００７】
上述した目的を達成する本発明に係るルーペは、被写体を撮像するカメラ本体に設けられるビューファインダに対して、着脱可能に設けられ、撮像された被写体を表示する表示体に表示された映像を拡大する拡大レンズと、光路上に設けられた偏光フィルタとを有する。
【０００８】
また、上述した目的を達成する本発明に係るビューファインダは、被写体を撮像するカメラ本体に設けられ、撮像した被写体を表示する表示体を有する表示ユニットと、表示体に表示された映像を拡大する拡大レンズを有するルーペ部とを備え、ルーペ部には、光路上に偏光フィルタが設けられている。
【０００９】
また、上述した目的を達成する本発明に係るビデオカメラは、被写体を撮像するカメラ本体と、カメラ本体に取り付けられ、カメラ本体が撮像した被写体を表示するビューファインダとを備え、ビューファインダは、映像を表示する表示体を有する表示ユニットと、上記表示体に表示された映像を拡大する拡大レンズを有するルーペ部とを有し、ルーペ部には、光路上に偏光フィルタが設けられている。
【発明の効果】
【００１０】
本発明では、偏光フィルタにより拡大レンズに入射した外光を減光することできるため、表示体を加熱してしまうことを抑止することができる。また、これにより本発明では、表示体に映像が表示されなくなることを抑止することができる。
【発明を実施するための最良の形態】
【００１１】
以下、本発明を適用したビデオカメラについて、図面を参照して説明する。
【００１２】
本発明を適用したビデオカメラは、撮像した被写体の映像を例えばデジタルデータに変換し、このデジタルデータを記録するビデオカメラであり、いわゆるデジタルハイビジョン放送等に用いる高画質デジタル映像を撮像する場合に用いられる。このビデオカメラは、使用者等が映像を見るためのビューファインダが着脱可能であり、所望の位置から所望の視野で撮像中の映像及び撮像された映像を確認することができる。以下では、図１及び図２に示すような、ビデオカメラ１について説明する。
【００１３】
ビデオカメラ１は、被写体からの光学像をカメラ本体１１に導く光学部材が内蔵されたレンズ部１０と、レンズ部１０からの光学像を電気信号に変換して映像信号を生成するカメラ本体１１と、カメラ本体１１から出力されたモニタ用の映像信号に基づく映像を表示するビューファインダ１２と、ビデオカメラ１の各部を駆動する電力を供給する電源部１３と、カメラ本体１１を使用者の肩に乗せるための凹状に形成されたショルダーパット１５と、カメラ本体１１を持ち上げたり、持ち運ぶ際に取手となる取手部１４とを備えている。
【００１４】
レンズ部１０は、光学部材として、被写体からの光を集光する撮像レンズ２１を有している。また、レンズ部１０は、例えば図示しないズーム機構を有しており、このズーム機構を駆動することで撮像レンズ２１の光学倍率を所定の範囲で可変することができる。
【００１５】
カメラ本体１１は、図１乃至図３に示すように、略直方体状のビデオカメラ１の本体を形成し、長手方向の一側面が前面とされ、前面にレンズ部１０が取り付けられ、背面に電源部１３が設けられている。また、カメラ本体１１には、上面に取手部１４が設けられ、下面に使用者が肩に担ぐ際のクッションとなるショルダーパット１５が配設されている。更に、カメラ本体１１には、下面にカメラ本体１１を三脚等に固定するための三脚取付部１６と、前面にビューファインダ１２を取り付けるためのビューファインダ取付部１７と、上面の前方にマイク等を取り付けるための第１の部品取付部１８と、上面の後方に各種部品を取り付けるための第２の部品取付部１９と、後述する表示ユニット３１における接続コード４９が接続される表示ユニット接続部２０とが設けられている。
【００１６】
カメラ本体１１は、撮像レンズ２１により集光された光を受光し光電変換することで、被写体を撮像するＣＣＤ（Charge−Coupled Device）等の受光素子を有している。カメラ本体１１は、例えば、撮像レンズ２１により集光された光を３原色である赤、緑及び青色の成分に分離する図示しない光学系である分光プリズムを有しており、分離された各色の成分に対応するようにＣＣＤが３つ設けられた、いわゆる３ＣＣＤ方式が採用されている。
【００１７】
以上のようなカメラ本体１１は、映像信号処理回路等でＣＣＤにより受光した光の強度に応じた映像信号を生成する。なお、受光素子には、ＣＣＤを用いることとしたがこれ限定されるものではなく、例えば効率よく光電変換を行う光電変換素子としてＣＭＯＳ（complementary metal-oxide semiconductor device）等を用いてもよい。また、３ＣＣＤも一例に過ぎない。
【００１８】
更に、カメラ本体１１は、受光素子により撮像されて出力された映像信号を記録するための図示しない記録再生部を有している。記録再生部は、磁気テープを記録媒体とするテープカセット、ハードディスク、光ディスク等の記録媒体が装着される装着部と、この装着部に装着された記録媒体に対して映像信号や音声信号等の情報信号の記録再生をする磁気ヘッド、光ピックアップ等を有している。したがって、カメラ本体１１は、映像信号を記録媒体に記録し、又は記録媒体に記録された情報を再生する機能を有する。
【００１９】
また、カメラ本体１１は、受光素子からの映像信号を再生してビューファインダ１２に出力する。なお、以上の例では、カメラ本体１１に、記録再生部が内蔵されているものとしたが、本発明は、カメラ本体１１に記録再生部を設けず、外部出力端子に接続された記録再生部を用いて映像信号等の情報信号の記録や再生を行うようにしてもよい。
【００２０】
ビューファインダ１２は、図３に示すように、カメラ本体１１のビューファインダ取付部１７に着脱可能に取り付けられ、カメラ本体１１で生成された映像信号を再生して使用者が肉眼で確認したり、装置外部からのリターンビデオ信号を確認するため等の映像表示装置である。ビューファインダ１２は、図２中矢印Ａ１乃至矢印Ａ３に示すように、カメラ本体１１に対して２１０°の範囲で回動可能とされ、使用者が右肩の上にショルダーパット１５が当接するようにビデオカメラ１を保持した場合、後述する接眼部６８が後方に向く位置が基準とされている。
【００２１】
具体的に、ビューファインダ１２が、図２中矢印Ａ１方向に示すように、基準位置から左回りに９０°回動した位置にあるときは、例えば、ビデオカメラ１が使用者に対して低い位置にある場合、つまりローアングルでの撮像に好適である。
【００２２】
また、ビューファインダ１２が、図２中矢印Ａ２に示すように、基準位置から左回りに１２０°回動した位置にあるときは、例えば、ビデオカメラ１を使用者が抱きかかえ上方を撮像する場合に好適であり、使用者がビデオカメラ１を抱きかかえながらも映像を確認することができる。
【００２３】
更に、ビューファインダ１２が、図２中矢印Ａ３に示すように、基準位置から右回り９０°回動した位置にあるときは、例えば、ビデオカメラ１が使用者に対して高い位置にある場合に好適である。
【００２４】
電源部１３は、ビデオカメラ１の各部分に電力を供給するバッテリを備え、ビデオカメラ１を駆動させる。
【００２５】
取手部１４は、使用者がビデオカメラ１を持ち歩く際や、ビデオカメラ１を低い位置で用いる場合に、ビデオカメラ１を保持するために使用者が手で握ることができるように設けられている。
【００２６】
ショルダーパット１５は、カメラ本体１１の底面に凹部をなして形成されており、ビデオカメラ１を肩に乗せて用いる場合に肩と当接する部分となり、使用者の肩に乗せやすくするために、柔らかな材料を用いて曲面を持たせた形状に形成されている。
【００２７】
三脚取付部１６は、後述する三脚９３等とカメラ本体１１を接続するためのねじ孔が設けられている。
【００２８】
ビューファインダ取付部１７には、図３及び図４に示すように、ビューファインダ１２が取り付けられる。ビューファインダ取付部１７は、板状の部材であり、ビューファインダ１２が取り付けられる際、図３中の矢印Ａ４方向に沿ってビューファインダが挿入され、ビューファインダ１２の挿入溝部５４が係合される。このため、ビューファインダ取付部１７の上端及び下端にはこの挿入溝部５４の形状に合うように傾斜１７ａが形成されている。また、ビューファインダ取付部１７には、ビューファインダ１２が挿入される側の端部と反対側の端部の上端に切り欠かれて形成され、ビューファインダ１２が挿入された際に後述するロックピン５５と協働してビューファインダ１２が外れないようにするストッパ部１７ｂが設けられている。また、ビューファインダ取付部１７には、ビューファインダ１２が取り付けられる面とは反対側の面に、ビューファインダ１２をカメラ本体１１に対して固定するロックねじ１７ｃが設けられている。
【００２９】
第１の部品取付部１８及び第２の部品取付部１９は、マイク等の部品を装着することができるようにそれぞれねじ孔が設けられ、このねじ孔には予備ねじがねじ込まれている。
【００３０】
表示ユニット接続部２０は、後述する接続コード４９のコネクタ４９ａが接続され、カメラ本体部１１とビューファインダ１２とを電気的に接続するためのコネクタであり、図３中に示す矢印Ａ５方向にコネクタ４９ａが着脱される。
【００３１】
このような構成とされたビデオカメラ１のビューファインダ取付部１７に着脱可能に取り付けられるビューファインダ１２について詳細に説明する。
【００３２】
ビューファインダ１２は、図５に示すように、映像を表示する表示ユニット３１と、表示ユニット３１をカメラ本体１１のビューファインダ取付部１７に取り付けるための取付部材３２と、表示ユニット３１に表示された映像を拡大するファインダ部３３とを有している。
【００３３】
このようなビューファインダ１２は、図６に示すように、表示ユニット３１と、取付部材３２と、ファインダ部３３とがそれぞれ互いに着脱可能とされており、詳細を後述するが用途に応じてこれらを適宜着脱することができる。
【００３４】
ビューファインダ１２が有する表示ユニット３１は、図７に示すように、表示ユニット３１の本体を構成する表示ユニット本体４１と、映像を表示する液晶表示パネル４２と、液晶表示パネル４２に表示される映像を調整する調整部４３と、ファインダ部３３の後述する円筒部６２が挿通される着脱開口部４４と、ファインダ部３３の後述する第２の係合片６３と係合する第１の係合片４５と、ファインダ部３３を固定するロックピン４６と、ロックピン４６によるファインダ部３３のロックを解除するロック解除レバー４７と、ファインダ部３３が装着及び固定された状態を検出する検出部４８とを備える。またビューファインダ１２は、図８及び図９に示すように、液晶表示パネル４２に映像信号等を伝送する接続コード４９と、取付部材３２に装着・固定するためのねじ孔５０ａ及びその他の箇所に装着し固定するためのねじ孔５０ｂとを有している。
【００３５】
表示ユニット本体４１は、略矩形状に形成され、図７に示すように、表面に液晶表示パネル部４２が設けられている。裏面には、図８に示すように、接続コード４９が引き出され、取付部材３２が取り付けられている。
【００３６】
液晶表示パネル４２は、例えば、図示しないバックライトにより背面から照射された光に基づき、カメラ本体１１から接続コード４９を介して入力された映像信号により映像を表示するＬＣＤ（Liquid Crystal Display）で構成される。液晶表示パネル４２は、矩形状の映像表示画面を有しており、この映像表示画面は、対角線の長さが、例えば略２．７インチの大きさである。
【００３７】
液晶表示パネル４２を調整する調整部４３は、液晶表示パネル４２に表示される映像を調整するための各種入力部が設けられており、この入力部を使用者が操作することで、例えば、明るさ調整、コントラスト調整、色バランス調整、表示位置調整、表示範囲調整等の各種調整を行うことができる。
【００３８】
着脱開口部４４は、ファインダ部３３の円筒部６２が挿通される略円形状の開口部であり、この開口部の中央に液晶表示パネル４２が位置するようになっている。
【００３９】
第１の係合片４５は、略板状の部材からなり、着脱開口部４４の開口端に内部に向かって突出するように設けられている。第１の係合片４５は、具体的に着脱開口部４４の円周を略６等分したうちの一つおきに３つ設けられている。第１の係合片４５は、着脱開口部４４に挿入されたファインダ部３３の円筒部６２に設けられた第２の係合片６３と係合することで、表示ユニット３１に対してファインダ部３３を装着することができるようにする。
【００４０】
ロックピン４６は、第１の係合片４５と第２の係合片６３とが係合した状態で表示ユニット３１とファインダ部３３とを固定するロック機構を、ファインダ本体６１に形成された係合孔６３ａと協働して構成する。ロックピン４６は、第１の係合片４５を貫通して設けられ、液晶表示パネル４２が設けられている側とは反対側に向かってコイルバネ等の弾性部材により付勢されている。このロックピン４６は、後述するファインダ本体６１の係合孔６３ａと係合することで表示ユニット３１に対してファインダ部３３を固定する。
【００４１】
ロック解除レバー４７は、表示ユニット３１に対して固定されたファインダ部３３のロックを解除する。ロック解除レバー４７は、液晶表示パネル４２側とは反対側に付勢されているロックピン４６を液晶表示パネル４２側に移動させ、ロックピン４６をファインダ本体６１の係合孔６３ａから外し、表示ユニットに対して固定されていたファインダ部３３が回動可能となるようにロックを解除する。
【００４２】
検出部４８は、第１の係合片４５と第２の係合片６３とが係合した状態を検出するピンであり、着脱開口部４４の中心方向、且つ第２の係合片６３を押圧する方向に弾性部材により付勢されている。検出部４８は、第２の係合片６３が第１の係合片４５と係合した場合に、付勢力に抗して第２の係合片６３により押圧された状態とされ、この状態で表示ユニット３１とファインダ部３３とが接続されたことを検出する。具体的に、検出部４８は、ファインダ３３を回動させることで第１の係合片４５と第２の係合片６３とが係合されるため、第２の係合片６３のファインダ３３の回動方向に対して下手側となる端部で押圧されるようになる。このため、検出部４８は、第２の係合片６３のファインダ３３の回動方向に対して下手側となる端部で押圧される位置に設けられる。検出部４８は、第２の係合片６３の端部で押圧されることによって、後述する制御回路８１の反転スイッチ８４と接続されており検出情報を反転スイッチ８４に出力する。
【００４３】
カメラ本体１１の表示ユニット４１とを電気的に接続する接続コード４９は、図３及び図８に示すように、表示ユニット本体４１の裏面から引き出され、先端部に設けられたコネクタ４９ａがカメラ本体１１に設けられた表示ユニット接続部２０に接続される。また、接続コード４９は、表示ユニット本体４１の裏面から詳細を後述するビューファインダ１２の回動中心の軸線に沿って引き出されている。
【００４４】
ねじ孔５０ａは、図８に示すように、表示ユニット３１に取付部材３２を装着する際に取付部材３２に対して後述するねじ５６によりねじ止めするために設けられている。ねじ孔５０ｂは、図９に示すように、表示ユニット３１を、例えばカメラ本体部１１の第１の部品取付部１８又は第２の部品取付部１９や、その他の箇所に固定するために設けられており、予備ねじ等が締め付けられている。
【００４５】
次に、ビューファインダ１２が有する取付部材３２は、図１０に示すように、カメラ本体１１に対して固定される固定部５１と、固定部５１に対して回動可能に接続された回動部５２とを有している。取付部材３２は、固定部５１の一方の面がカメラ本体１１のビューファインダ取付部１７と接続されてカメラ本体１１に対して固定され、他方の面が回動部５２と当接し、回動部５２が固定部５１に対して回動する。
【００４６】
固定部５１の上端及び下端には、ビューファインダ取付部１７と係合する挿入溝部５４がビューファインダ取付部１７の挿入方向に形成されている。固定部５１は、図３中の矢印Ａ４方向に示すように、挿入溝部５４の端部にビューファインダ取付部１７の切欠部１７ａを挿入し、挿入溝部５４内でビューファインダ取付部１７をスライドさせることによってビューファインダ取付部１７に装着される。
【００４７】
固定部５１には、ビューファインダ取付部１７のストッパ部１７ｂに対応するロックピン５５が設けられている。固定部５１は、ビューファインダ取付部１７に装着された後、このロックピン５５をストッパ部１７ｂ側にねじ込み、ロックピン５５の先端がストッパ部１７ｂに圧接されることによって、ビューファインダ取付部１７から外れないようになる。なお、ロックピン５５がストッパ部１７ｂと係合した状態では、完全にビューファインダ１２をカメラ本体１１に固定した状態とはならないため、図１１に示すように、更にビューファインダ取付部１７のロックねじ１７ｃを固定部５１側にねじ込むようにする。ロックねじ１７ｃを固定部５１側にねじ込むことによって、固定部５１をビューファインダ取付部１７とロックねじ１７ｃとの間で挟み込み、固定部５１をビューファインダ取付部１７に完全に固定する。このように取付部材３２の固定部５１とカメラ本体１１に設けられたビューファインダ取付部１７とにより構成される取付機構によりカメラ本体１１にビューファインダ１２を装着することができる。
【００４８】
また、固定部５１の回動部５２が接続される面には、図６及び図１０に示すように、表示ユニット本体４１の裏面から導出されている接続コード４９を通す軸部５７ａが形成され、この軸部５７ａの一端の外周部には、フランジ部５７が全周に亘って形成され、軸部５７ａの表示ユニット３１側となる他端には、回動部５２を押さえる押さえ板５７ｂがネジ等の固定部材５７ｃによって固定されている。軸部５７ａは、図８に示すように、回動部５２を貫通して形成され、他端に設けられた押さえ板５７ｂは、回動部５２と表示ユニット３１との間に位置する。
【００４９】
回動部５２は、図８に示すように、一方の面に固定部５１が回動可能に取り付けられ、他方の面に表示ユニット３１の表示ユニット本体４１が固定されている。回動部５２は、表示ユニット本体４１の裏面に４本のねじ５６により固定されている。ねじ５６は、表示ユニット３１の裏面に形成されているねじ孔５０ａにねじ込まれる。
【００５０】
また、固定部５１に対して回動部５２を回動可能にする回動機構５９が固定部５１と回動部５２の接続部分に設けられている。この回動機構５９は、図１２に示すように、固定部５１と回動部５２との間に設けられ、フランジ部５７を回動部５２と離間する方向に付勢する複数の付勢部材で構成されている。具体的には、等間隔に並んだ３つのワッシャ５９ａと、これらの間に設けられる皿バネ５９ｂと、ワッシャ５９ａと皿バネ５９ｂを収納するワッシャケース５９ｃとから構成される。ワッシャケース５９ｃは、フランジ部５７側の一端が開口されているため、フランジ部５７側に設けられているワッシャ５９ａがフランジ部５７に当接される。
【００５１】
具体的に取付部材３２における固定部５１と回動部５２との回動部分を説明する。回動機構５９は、図１２に示すように、固定部５１と回動部５２との間にワッシャ５９ａと皿バネ５９ｂとが収納されたワッシャケース５９ｃが配置され、フランジ部５７と当接するワッシャ５９ａによって、ワッシャケース５９ｃが回動部５２側に付勢されており、このワッシャケース５９ｃと回動部５２とが押さえ板５７ｂによって押さえられている。
【００５２】
回動機構５９は、ワッシャケース５９ｃ内に３つのワッシャ５９ａが互いに等間隔で平行に収納され、各ワッシャ５９ａの間には皿バネ５９ｂが収納されている。回動機構５９は、皿バネ５９ｂが各ワッシャ５９ａの間に配置されているため、隣接するワッシャ５９ａにより押圧されるようになり、これに対して各皿バネ５９ｂが隣接するワッシャ５９ａを付勢するようになる。これにより、回動機構５９では、ワッシャ５９ａがフランジ部５７側及び押さえ板５７ｂ側のそれぞれに付勢されていることによって、ワッシャケース５９ｃと押さえ板５７ｂとの間に設けられた回動部５２が回動可能となる。また、回動部５２は、ワッシャ５９ａのうちフランジ部５７と当接するワッシャ５９ａがフランジ部５７を付勢しながら摺動するため、摺動面での摩擦力が生じ回動部５２に対してある値より大きい回転モーメントが働いたときにのみ回動するように調整されている。
【００５３】
ビューファインダ１２が有するファインダ部３３は、図１３中矢印Ａ６方向に示すように、表示ユニット３１に着脱可能である。ファインダ部３３は、図１３乃至図１５に示すように、ファインダ部３３の本体を構成するファインダ本体６１と、表示ユニット３１の着脱開口部４４に挿入される円筒形状の円筒部６２と、表示ユニット３１の第１の係合片４５と係合する第２の係合片６３と、表示ユニット３１の液晶表示パネル４２からの光を反射するミラー６４と、ミラー６４で反射された光を拡大するルーペ部６５とを有している。
【００５４】
ファインダ本体６１は、ミラー６４及びルーペ部６５を内蔵する空間が設けられており、液晶表示パネル４２からの光が通過する光路に外部から光が入射しないように覆い隠す、いわゆる鏡筒としての機能を有する。ファインダ本体６１は、ミラー６４により光路が折り曲げられるため、略Ｌ字状の形状とされている。ファインダ本体６１は、表示ユニット３１と接続される側に円筒部６２が設けられている。また、ファインダ本体６１には、図８、図１６及び図１７に示すように、円筒部６２が設けられている面に表示ユニット３１に対してファインダ部３３を装着する際にロックピン４６と係合する係合孔６３ａが設けられている。
【００５５】
円筒部６２は、表示ユニット３１の着脱開口部４４に挿通される部分であり、着脱開口部４４の内壁から突出する第１の係合片４５によって形成される径よりも小さく形成されている。円筒部６２は、外周壁に第２の係合片６３が設けられている。
【００５６】
第２の係合片６３は、略板状の部材からなり、円筒部６２の外周壁に外側に向かって突出するように設けられている。第２の係合片６３は、具体的に円周を略６等分したうち一つおきに３つ設けられている。第２の係合片６３は、着脱開口部４４の第１の係合片４５と係合することで、表示ユニット３１に対してファインダ部３３が装着可能となる。
【００５７】
また、複数の第２の係合片６３の中でも、表示ユニット３１にファインダ部３３が装着された際に検出部４８の近傍で第２の係合片６３の回動方向の下手側に位置する第２の係合片６３には、検出部４８を押し上げる傾斜部６３ｂが設けられている。
【００５８】
このような第１の係合片４５及び第２の係合片６３は、例えば、ブレードが互いに重ならないように断続して環状に設けられた、いわゆるバヨネットマウントを構成している。
【００５９】
ミラー６４は、図１４に示すように、表示ユニット３１の液晶表示パネル４２の映像表示面に対して４５°傾けてファインダ本体６１の内部に配設されており、液晶表示パネル４２からの光表示パネル４２に表示された映像をルーペ部６５に導く。
【００６０】
ルーペ部６５は、ファインダ本体６１に対して、図１５中矢印Ａ７方向に、着脱可能に設けられた光学ユニットであり、外部から液晶表示パネル４２に向かう光を減光する偏光フィルタ６６と、液晶表示パネル４２から出射され、偏光フィルタ６６を透過した光を拡大するレンズ部６７と、端部に設けられた接眼部６８とを有している。
【００６１】
ルーペ部６５は、液晶表示パネル４２に表示された映像を拡大して確認するためのものであり、接眼部６８にフード部６８ａが設けられて外部からの光を遮光し、使用者の視野全体に映像が拡大表示されることで、使用者が映像に集中することができるようになっている。
【００６２】
偏光フィルタ６６は、レンズ部６７側から液晶表示パネル４２に向かう光を減光するフィルタであり、太陽光等の強い光を液晶表示パネル４２に集光してしまわないように設けられている。偏光フィルタ６６を設けることによって、接眼部６８から入射した太陽光をおよそ１／７にカットすることができるようになる。なお、偏光フィルタ６６を配設する位置は、接眼部６８から入射する光を減光することができれば他の場所でもよい。
【００６３】
なお、偏光フィルタ６６は、液晶表示パネル４２から出力される光が偏光されているため、液晶表示パネル４２から出力される光が透過しやすいように偏光軸を調整しておくことで、液晶表示パネル４２から出力された光の透過率を接眼部６８から入射する光の透過率に対して高めることができる。
【００６４】
レンズ部６７は、例えば２群構成とされた拡大レンズであり、液晶表示パネル４２に表示された映像を拡大する。
【００６５】
接眼部６８は、上述したようにフード部６８ａが設けられており、使用者の目の周辺と当接することから軟性を有するゴム材により形成されている。
【００６６】
ところで、ファインダ部３３では、ルーペ部６５がレンズ部６７を有しているため、液晶表示パネル４２に表示された映像が使用者の目に合焦する範囲がこのレンズ部６７の特性に依存する。すなわち、ルーペ部６５を用いた場合には、映像を確認する使用者の位置が制限されてしまうことがある。すなわち、接眼部６８から離間した位置からでは映像を確認することが困難となる。
【００６７】
この場合には、ルーペ部６５をファインダ部３３から取り外して、液晶表示パネル４２に表示された映像を直接確認することができるようにすることができる。具体的には、ファインダ部３３からルーペ部６５を取り外し、液晶表示パネル４２に表示された映像がミラー６４で反射されて、ミラー６４で反射された映像を直接視認することになる。
【００６８】
また、ファインダ部３３では、図２に示すように、ビューファインダ１２が上方に向けられて、ルーペ部６５の接眼部６８が上方に位置するときに、太陽光等を液晶表示パネル４２に集光してしまう虞がある。
【００６９】
即ち、太陽光を液晶表示パネル４２に集光してしまうことにより映像表示面が過熱されて表面のフィルムが熱変形を起こしてしまい、液晶表示パネル４２が正常に機能しなくなってしまう可能性があるが、偏向フィルタ６６が設けられているので、焼き付けを防止することができる。
【００７０】
また、ルーペ部６５をファインダ部３３から取り外した場合に、取り外したルーペ部６５に太陽光等が入り、ルーペ部６５の下にあるものを焼き付けてしまう虞がある。このような場合でも、ルーペ部６５は、偏光フィルタ６６によって、焼き付けを防止することができる。
【００７１】
本実施の形態におけるファインダ部３３では、ルーペ部６５に偏光フィルタ６６を設けることで、ルーペ部６５が太陽光を集光してしまった場合でも、太陽光を偏光フィルタ６６により減光することで、液晶表示パネル４２の映像表示面を過熱してしまう危険性を低下することができる。ルーペ部６５をファインダ部３３から取り外した場合にも、ルーペ部６５にレンズ部６７が設けられている、即ち、ファインダ部３３にはレンズが設けられていないので、液晶表示パネル４２に太陽光等を集光してしまうことを抑止することができる。また、ルーペ部６５をファインダ部３３から取り外し、紙等の上に放置したときにも、太陽光等を集光し紙等を焦がしてしまうことを抑止することができる。
【００７２】
ここで、上述したような構成とされたファインダ部３３を表示ユニット３１に装着する方法及びルーペ部６５をファインダ部３３に装着する方法について詳細に説明する。
【００７３】
先ず、図１６に示すように、表示ユニット３１の第１の係合片４５とファインダ部３３の第２の係合片６３とが重ならないように、表示ユニット３１とファインダ部３３とが対向する方向に着脱開口部４４内に円筒部６２を嵌め込む。このとき、第１の係合片４５と第２の係合片６３とは、表示ユニット３１とファインダ部３３との対向方向、即ち表示ユニット３１にファインダ部３３を挿入する方向において、互いにずれた位置とされているため、表示ユニット３１に対してファインダ部３３を図１６中矢印Ａ８方向に回動可能となる。また、第１の係合片４５と第２の係合片６３とが互いにずれた位置にある状態では、図１８に示すように、ロックピン４６は第１の係合片４５を貫通し、ファインダ本体６１側に付勢されている。
【００７４】
次に、表示ユニット３１に対してファインダ部３３を図１６中矢印Ａ８方向に回動することで、第２の係合片６３が第１の係合片４５と液晶表示パネル４２が設けられた着脱開口部４４との間をスライドし、他の第２の係合片６３が検出部４８を押圧しながら摺動し、図１７に示すように、第１の係合片４５と第２の係合片６３とが互いに重なる。第１の係合片４５と第２の係合片６３とが互いに重なった状態では、第２の係合片６３の回動方向の下手側の一部が検出部４８を押し上げた状態となる。また、ロックピン４６は、図１７及び図１９に示すように、ファインダ本体６１側に付勢されているため、係合孔６３ａの位置と一致することで、係合孔６３ａに係合され、ファインダ３３が表示ユニット３１にロックされ、固定される。
【００７５】
なお、ファインダ部３３を表示ユニット３１から取り外す場合は、ロック解除レバー４７を図１９中矢印Ａ９方向に示すように、表示ユニット３１からファインダ部３３を離間させる方向に移動させる。これによって、ロックピン４６は、液晶表示ユニット４２側に移動され、係合孔６３ａから外れてロックが解除される。ロック解除レバー４７を押し上げた状態で表示ユニット３１に対してファインダ部３３を図１６中反矢印Ａ８方向に回動すると、図１６に示すように、第１の係合片４５と第２の係合片６３とが互いにずれた位置となるため、ファインダ部３３と表示ユニット３１は着脱可能となる。
【００７６】
なお、表示ユニット３１に対してファインダ部３３以外の部品を装着する場合に、その部品の係合片に切欠きを設けたり、第１の係合片４５よりも係合片の長さを短くする。すなわち、切欠きが設けられていたり、第１の係合片４５よりも短く形成することによって、部品を表示ユニット３１に装着した場合に、係合片が検出部４８を押圧しないため、検出部４８では、ファインダ部３３が装着されていないと判断する。
【００７７】
表示ユニット３１に装着する他の部品としては、図２０に示すように、外部から液晶表示パネル４２に入射する光を遮光し液晶表示パネル４２に表示された映像を見やすくするフード７１や、図２１に示すような、液晶表示パネル４２に表示された映像を拡大する拡大ルーペ７４を用いることができる。
【００７８】
フード７１は、カメラ本体１１の上方に対応する部分がせり出した構造とされており、上方から入射する特に太陽光との強い光を遮光することで屋外等でも液晶表示パネル４２に表示された映像を鮮明に確認することができる。フード７１は、光を遮光するフード部７２と、表示ユニット３１の第１の係合片４５と係合する第３の係合片７３とを有している。なお、ここで、第３の係合片７３は、切欠部７３ａが形成されている。
【００７９】
拡大ルーペ７４は、ファインダ部３３のルーペ部６５よりも大きな口径のレンズが用いられ、ルーペ部６５よりも拡大された映像を確認することができる。拡大ルーペ７４は、液晶表示パネル４２からの映像を拡大するレンズ部７５と、表示ユニット３１の第１の係合片４５と係合する第４の係合片７６とを有している。なお、ここで、第４の係合片７６は、切欠部７６ｃが形成されている。
【００８０】
なお、表示ユニット３１に装着する他の部品としては、フード７１や拡大ルーペ７４に限定されるものではなく、液晶表示パネル４２に表示された映像を確認するために好適な各種の部品を装着することが可能であり、例えば、フードと拡大ルーペとを組み合わせたものであってもよい。
【００８１】
次に、ルーペ部６５をファインダ部３３に装着する方法について説明する。ルーペ部６５には、図２２及び図２３に示すように、外周に係合突部６５ａが設けられており、この係合突部６５ａがファインダ本体６１の内周に形成されている係合凹部６１ａと係合することで回転しないように、ファインダ本体６１に固定される。ファインダ本体６１の内周の形状は、ルーペ部６５の外周に合うように形成されており、ルーペ部６５を一方向の向きでしか挿入できないようになっている。また、ファインダ本体６１にルーペ部６５を挿入する際には、ファインダ部６１に形成されたマーク６１ｃ、ロックリング６１ｂに形成されたマーク６１ｄ及びルーペ部６５に形成されたマーク６５ｃの各マークの位置を合わせて挿入する。このように各部材に形成されたマーク６１ｃ、６１ｄ、６５ｃを合わせることによって、偏光フィルタ６６の偏光軸が液晶表示パネル４２から出力される光の偏光方向と一致するようにファインダ本体６１にルーペ部６５が固定されるようになる。
【００８２】
ファインダ本体６１にルーペ部６５を挿入した後、ファインダ本体６１の開口部に予め仮固定されているロックリング６１ｂを図２３中矢印Ａ１０方向に回転させることによって、ロックリング６１ｂの内部に形成された突部がルーペ部６５の外周に形成された溝部６５ｂに係合される。これにより、ファインダ本体６１にルーペ部６５が固定される。
【００８３】
ところで、上述したファインダ部３３では、ミラー６４を用いて映像を反射するため、ルーペ部６５により拡大される映像が反転したいわゆる鏡像となり、実際に撮像している映像と異なるという問題がある。
【００８４】
そこで、ビデオカメラ１では、表示ユニット３１の検出部４８によりファインダ部３３が装着されていることを検出できるため、ファインダ部３３が装着されている場合には、液晶表示パネル４２に表示された映像を反転させて接眼部６８から使用者が確認した際に、反転していない正常な映像を見ることができるように制御している。
【００８５】
具体的に映像を反転する制御回路８１は、図２４に示すように、ビューファインダ用の映像信号を出力する映像信号出力部８２と、映像信号出力部８２により出力された映像信号に基づく映像を反転させる映像反転部８３と、映像反転部８３の動作をオン・オフする反転スイッチ８４と、映像反転部８３により反転された映像信号に基づき液晶表示パネル４２を駆動する液晶表示パネル制御部８５とからなる。
【００８６】
映像信号出力部８２は、レンズ部１０により撮像されて出力される映像信号又はカメラ本体１１内の記録再生部から再生される映像信号をビューファインダ用の出力する回路である。
【００８７】
映像反転部８３は、映像信号出力部８２から出力された映像信号を反転させる信号処理回路であり、反転スイッチ８４がオンである場合に映像信号を反転させて液晶表示パネル制御部８５へ出力し、反転スイッチ８４がオフである場合に映像信号の反転を行わずにそのままの映像信号を液晶表示パネル制御部８５へ出力する。
【００８８】
反転スイッチ８４は、検出部４８と接続されており、検出部４８が第２の係合片６３に押圧された状態で表示ユニット３１に対してファインダ部３３が装着された状態を検出するため、この状態の場合に映像反転部８３の動作をオン状態とする。また、反転スイッチ８４は、検出部４８が第２の係合片６３に押圧されていない状態で表示ユニット３１に対してファインダ部３３が装着されていない状態を検出するため、この状態の場合に映像反転部８３の動作をオフ状態とする。液晶表示パネル制御部８５は、映像反転部８３から出力された映像信号に基づき液晶表示パネル４２を駆動して、液晶表示パネル４２に映像を表示させる。
【００８９】
ここで、上述したフード７１や拡大ルーペ７４等の部品を表示ユニット３１に装着する場合には、これらフード７１や拡大ルーペ７４がミラーを有していないため、映像が反転してしまうことがない。フード７１や拡大ルーペ７４では、第３の係合部７３及び第４の係合片７６の検出部４８が当接する位置に切欠部７３ａ、７６ａが設けられているため、上述した反転スイッチ８４がオフとなり、したがって映像反転部８３が映像信号を反転させずに液晶表示パネル制御部８５へ出力する。
【００９０】
このように、映像信号の反転を行う必要がない部品を表示ユニット３１に装着する場合には、第１の係合片４５と係合する係合片に切欠部７３ａ、７６ａを設けることで、各種の部品を取り付けることができるようになる。以上のように制御回路８１は、液晶表示パネル４２に表示する映像が、使用者に対して正常な映像となるように反転の切り替えを行う。
【００９１】
なお、制御回路８１は、ビューファインダ１２に設けられるようになっているが、その一部又は全てをカメラ本体１１に備えるようにしてもよい。
【００９２】
以上のような構成からなるビューファインダ１２は、図２に示すように、カメラ本体１１に対して回動可能に設けられている。ビューファインダ１２は、カメラ本体１１に対して回動する際に、取付部材３２の固定部５１と回動部５２との間に設けられた回動機構５９によって回動するようにされており、表示ユニット３１の内部で回動するわけではない。また、ビューファインダ１２では、図１２に示すように、表示ユニット３１から接続コード４９が固定部５１に形成された軸部５７ａの内部を通って引き出されているため、接続コード４９が回動する部分から切り離されている。したがって、ビューファインダ１２をカメラ本体１１に対して回動させた際に、接続コード４９が内部で捩れてしまうことがなくなる。
【００９３】
つまり、ビューファインダ１２では、接続コード４９が表示ユニット３１の回動中心から外部に引き出されているため、表示ユニット３１が回動した場合でも接続コード４９にゆとりがあり局所的に著しい捩れが発生することがなくなる。
【００９４】
これにより、ビューファインダ１２では、接続コード４９の捩れ断線を抑制することができ、表示ユニット３１の液晶表示パネル４２の表示される映像が突然消えてしまうような事態を防止することができる。
【００９５】
ところで、ビデオカメラを用いて映画等を撮像する際に、カメラ本体を三脚等に固定して、使用者がビデオカメラの後方に配設された椅子等に着座して撮像を行う場合がある。この際に、ビデオカメラでは、ビューファインダの接眼部が使用者から遠くなってしまうため、ビューファインダの全長を長くしたロングビューファインダ等を用いる場合がある。ロングビューファインダは、ビューファンダ部分の鏡筒が長いため、光学的に光路を延ばすこと等を必要とし高価である。
【００９６】
そこで、ビデオカメラ１は、ビューファインダ１２がカメラ本体１１から着脱可能に設けられているため、図２５乃至図２７に示すように、三脚９３の上部にカメラ本体部１１が固定された場合に、ビューファインダ取付部１７から後方に引き伸ばされた第１のアーム部材９１と、第１のアーム部材９１の後方の一点を支持する第２のアーム部材９２とを用いて、図２５に示すように、ビューファインダ１２をカメラ本体１１の後方に支持することができる。これにより、ロングビューファインダの代わりとすることができる。
【００９７】
第１のアーム部材９１は、アルミニウムやチタン等の軽量な金属により棒状に形成された部材である。第１のアーム部材９１は、一端がカメラ本体１１のビューファインダ接続部１７を支点９１ａとして回動可能にビューファインダ接続部１７に接続されており、他端がカメラ本体１１の後方に位置するように第２のアーム部材９２により支持される。この第１のアーム部材９１には、図２７に示すように、他端にビューファインダ１２を支持するためのブラケット９４が取り付けられ、このブラケット９４を介してビューファインダ１２が第１のアーム部材９１の長手方向、すなわち図２５中矢印Ａ１１方向に移動可能に取り付けられる。
【００９８】
第２のアーム部材９２は、アルミニウムやチタン等の軽量な金属により棒状に形成された部材である。第２のアーム部材９２は、一端が三脚９３の一部を支点９２ａとして回動可能に三脚９３に接続されており、他端がカメラ本体１１の後方に位置するように第１のアーム部材９１により接続され、第１のアーム部材９１を支持する。第２のアーム部材９２は、第１のアーム部材９１を支持することから、図２５中Ａ１２方向に伸縮可能な構造とされており、例えば油圧等により滑らかな伸縮が可能とするダンパー機構を有するとしてもよい。第１のアーム部材９１と第２のアーム部材９２とは、互いに接続される位置で、支点９１ｂを中心に互いに回動可能とされている。
【００９９】
三脚９３は、設置面に固定され、上部にカメラ本体１１が図示しないねじ等により三脚取付部１６と接続されて、ビデオカメラ１を支持する。三脚９３は、ビデオカメラ１の向きを所望の方向に変化することが可能とされており、ビデオカメラ１を所望のパン方向及びチルト方向に向けることができる。
【０１００】
ビデオカメラ１は、レンズ部１０の正面に位置する被写体を撮像するときに、図２５に示すように、三脚９３上に水平に支持されて、ビデオカメラ１のレンズ部１０の下方に位置する被写体を撮像するとき、図２６に示すように、三脚９３上にレンズ部１０が下方を向くように支持される。
【０１０１】
上述したようにビデオカメラ１が図２５中矢印Ａ１３方向に傾くとき、ビューファインダ１２は、第１のアーム部材９１及び第２のアーム部材９３に支持されているため、使用者の頭部に対応する略一定の位置のまま静止させておくことができる。
【０１０２】
具体的に、図２６に示すように、ビデオカメラ１が下方にチルトしている場合、通常は支点９１ａがカメラ本体１１に追随して下方に変位することとなるが、この支点９１ａを中心に第１のアーム部材９１が回動するために、第１のアーム部材９１の後方側に装着されたビューファインダ１２の変位量は無視できるほど小さくなる。これは、第１のアーム部材９１が支点９１ｂを伸縮自在とされた第２のアーム部材９２により支持されているため、支点９１ｂ側の高さを略一定に保つことができるためである。
【０１０３】
以上のように、本実施の形態のビデオカメラ１では、ファインダ部３３の着脱可能とされたルーペ部６５に偏光フィルタ６６を設けることで、接眼部６８側から入射した太陽光等がレンズ部６７により集光されて液晶表示パネル４２の表示面を加熱し熱変形させ液晶表示パネル４２が故障してしまうことを防止することができると共に、ルーペ部６５をファインダ部３３から取り外した場合にも太陽光等を集光して、紙等を焦がしてしまうことを防止することができる。
【０１０４】
また、このビデオカメラ１は、ビューファインダ１２がカメラ本体１１に対して着脱可能とされているため、所望の場所にビューファインダ１２を装着することが可能となり、高価なロングビューファインダを用いることなく第１のアーム部材９１及び第２のアーム部材９２といった簡便で軽量な部材によりカメラ本体１１の後方にビューファインダ１２を配することができる。
【０１０５】
また、このビデオカメラ１では、高価で重い光学的なロングビューファインダを用いることなく、同等の機能を得ることができるため、光学的なロングビューファインダのコストをなくすことができ、第１のアーム部材９１及び第２のアーム部材９２が簡便で軽量であるために、持ち運びが容易となるとともに取り扱いが簡便となる。また、用いられる第１のアーム部材９１及び第２のアーム部材９２が簡便な構造とされているので、故障が発生しにくい。
【０１０６】
更に、ビデオカメラ１では、ビューファインダ１２においてルーペ部６５を有するファインダ部３３が表示ユニット３１に対して着脱可能とされているため、表示ユニット３１の液晶表示ユニット４２に表示された映像をルーペ部６５により拡大して見るだけでなく、ファインダ部３３を取り外して液晶表示パネル４２に表示された映像を直視することができる。これによりこのビデオカメラ１では、複数の使用者が液晶表示パネル４２に表示された映像を同時に確認することができるようになる。また、このビデオカメラ１では、記録再生部に記録された映像信号を再生する際等に、外部モニタに接続する等を不要とし、ビューファインダ１２のみでモニタの機能を兼ねることができる。これにより、例えば、僻地等で撮像を行う場合、撮像機材を減らすことができる。
【０１０７】
更にまた、ビデオカメラでは、ビューファインダ１２がカメラ本体１１に対して回動する際に、接続コード４９が回動部分である取付部材３２から独立して引き出されているため接続コード４９が捩れ断線することを防止することができ装置の信頼性を向上することができる。
【０１０８】
なお、上述したビデオカメラ１では、ビューファインダ１２が着脱可能とされているため、ビューファインダ１２を表示ユニット３１のねじ孔５０ｂを用いて、カメラ本体１１の第１の部品取付部１８及び第２の部品取付部１９に予備ねじを用いて取り付けるようにしてもよい。
【０１０９】
また、上述したビデオカメラ１では、ビューファインダ１２以外に、例えばビューファインダ１２と略同等のビューファインダ１００を第１の部品取付部１８及び第２の部品取付部１９等に予備ねじを用いて取り付けるようにしてもよい。
【０１１０】
具体例として、図２８に示すように、ビデオカメラ１は、ビューファインダ取付部１７に取り付けられたビューファインダ１２以外に、表示ユニット３１のみの構成とされたビューファインダ１２を第２の部品取付部１９に装着することで、使用者がビューファインダ１２により撮像する映像に集中すると共に、他の複数の使用者がビューファインダ１００を直視することができる。
【０１１１】
このようなビデオカメラ１は、同時に多数の人が撮像中の映像を確認することができるため、映画等のように多人数で撮像作業を行うような場合に好適である。
【図面の簡単な説明】
【０１１２】
【図１】本発明を適用したビデオカメラの構成を説明する斜視図である。
【図２】同ビデオカメラのビューファインダが回動する状態を説明する斜視図である。
【図３】同ビデオカメラに対してビューファインダを着脱する状態を説明する斜視図である。
【図４】同ビデオカメラの対してビューファインダを着脱する状態を説明する斜視図である。
【図５】ファインダ部側から見たビューファインダの構成を説明する斜視図である。
【図６】ファインダ部側から見たビューファインダの構成を説明する分解斜視図である。
【図７】ビューファインダが有する表示ユニットの液晶表示パネル側から見た構成を説明する平面図である。
【図８】カメラ本体側から見たビューファインダの構成を説明する分解斜視図である。
【図９】ビューファインダが有する表示ユニットを下方から見た構成を説明する平面図である。
【図１０】カメラ本体側から見た取付部材の構成を説明する斜視図である。
【図１１】ビューファインダ取付部にビューファインダが取り付けられた状態を示す平面図である。
【図１２】固定部と回動部との間に設けられた回動機構の構成を説明する断面図である。
【図１３】ビューファインダにおいて表示ユニットにファインダ部を装着する状態を説明するための分解斜視図である。
【図１４】ビューファインダが有するファインダ部の構成を説明するための図である。
【図１５】ビューファインダにおけるファインダ部からルーペ部を着脱する状態を説明するための斜視図である。
【図１６】ビューファインダにおける表示ユニットに対してファインダ部が着脱可能な状態を説明する図である。
【図１７】ビューファインダにおける表示ユニットに対してファインダ部が装着されてロックされた状態を説明する図である。
【図１８】図１６中の線分Ａ−Ａにおける断面図である。
【図１９】図１７中の線分Ｂ−Ｂにおける断面図である。
【図２０】ビューファインダにおける表示ユニットに対して取り付けられるフードを説明する図である。
【図２１】ビューファインダにおける表示ユニットに対して取り付けられる拡大ルーペを説明する図である。
【図２２】ビューファインダのファインダ部にルーペ部を着脱する状態を説明する斜視図である。
【図２３】ビューファンダのファインダ部にルーペ部を装着した状態を説明する斜視図である。
【図２４】液晶表示パネルに表示される映像の左右を反転させる制御回路を説明するための図である。
【図２５】ビューファインダの取り付け位置を後方にし、ビデオカメラがチルトしていない状態を説明するための図である。
【図２６】ビューファインダの取り付け位置を後方にし、ビデオカメラがチルトした状態を説明するための図である。
【図２７】ビューファインダの取り付け位置を後方にしたビデオカメラの構成を説明する平面図である。
【図２８】ビューファインダの取り付け位置を後方にしたビデオカメラの他の構成を説明する斜視図である。
【符号の説明】
【０１１３】
１  ビデオカメラ、１０  レンズ部、１１  カメラ本体、１２  ビューファインダ、１３  電源部、１４  取手部、１５  ショルダーパット、１６  三脚取付部、１７  ビューファインダ取付部、１７ａ  傾斜部、１７ｂ  ストッパ部、１７ｃ  ロックねじ、１８  第１の部品取付部、１９  第２の部品取付部、２０  表示ユニット接続部、２１  撮像レンズ、３１  表示ユニット、３２  取付部材、３３  ファインダ部、４１  表示ユニット本体、４２  液晶表示パネル、４３  調整部、４４  着脱開口部、４５  第１の係合片、４６  ロックピン、４７  ロック解除レバー、４８  検出部、４９  接続コード、４９ａ  コネクタ、５０ａ  ねじ孔、５０ｂ  ねじ孔、５１  固定部、５２  回動部、５４  挿入溝部、５５  ロックピン、５６  ねじ、５７  フランジ部、５７ａ  軸部、５７ｂ  押さえ板、５７ｃ  固定部材、５９  回動機構、５９ａ  ワッシャ、５９ｂ  皿バネ、５９ｃ  ワッシャケース、６１  ファインダ本体、６２  円筒部、６３  第２の係合片、６３ａ  係合孔、６３ｂ  傾斜部、６４  ミラー、６５  ルーペ部、６６  偏光フィルタ、６７  レンズ部、６８  接眼部、６８ａ  フード部、７１  フード、７２  フード部、７３  第３の係合部、７３ａ  切欠き部、７４  拡大ルーペ、７５  レンズ部、７６  第４の係合部、７６ａ  切欠き部、８１  制御回路、８２  映像信号出力部、８３  映像反転部、８４  反転スイッチ、８５  液晶表示パネル制御部、９１  第１のアーム部材、９１ａ  支点、９１ｂ  支点、９２  第２のアーム部材、９２ｂ  支点、９３  三脚、９４  ブラケット、１００  ビューファインダ
【図１】
2004163905.tif 000003
【図２】
2004163905.tif 000004
【図３】
2004163905.tif 000005
【図４】
2004163905.tif 000006
【図５】
2004163905.tif 000007
【図６】
2004163905.tif 000008
【図７】
2004163905.tif 000009
【図８】
2004163905.tif 000010
【図９】
2004163905.tif 000011
【図１０】
2004163905.tif 000012
【図１１】
2004163905.tif 000013
【図１２】
2004163905.tif 000014
【図１３】
2004163905.tif 000015
【図１４】
2004163905.tif 000016
【図１５】
2004163905.tif 000017
【図１６】
2004163905.tif 000018
【図１７】
2004163905.tif 000019
【図１８】
2004163905.tif 000020
【図１９】
2004163905.tif 000021
【図２０】
2004163905.tif 000022
【図２１】
2004163905.tif 000023
【図２２】
2004163905.tif 000024
【図２３】
2004163905.tif 000025
【図２４】
2004163905.tif 000026
【図２５】
2004163905.tif 000027
【図２６】
2004163905.tif 000028
【図２７】
2004163905.tif 000029
【図２８】
2004163905.tif 000030